(57)【要約】      （修正有）【課題】ＩＣカードをユーザ認証するための認証手段として用い、通信手段を複数利用する場合においても１つのＩＣカードで各通信手段に対するユーザ認証が行える、ＩＣカードによる通信手段選択方法およびＩＣカードによる通信手段選択システムを提供する。【解決手段】ＩＣカード内に、所定の複数の通信手段の各々に対応した認証情報を全て含むユーザ情報を保管し、場所、時間、通信速度等の前記各通信手段への接続制限条件を設定し、更に、複数の通信手段の利用が可能な接続制限条件の下において、所望の通信手段を優先的に選択するための優先順位をつける通信手段選択条件を設定しておき、前記端末機器が通信を行う際には、前記ＩＣカード内に設定された条件に従い、前記所定の複数の通信手段のうちの１つが選択され、選択された通信手段へ接続のためのアクセスを行い、前記ＩＣカードの認証情報により該通信手段におけるユーザ認証の手続きを行う。【選択図】図１
2005258961.tif 000002
【特許請求の範囲】
【請求項１】
所定の複数の通信手段を接続利用できる端末機器が、それに内蔵もしくは外付けにより接続した１枚のＩＣカードを記録媒体かつ処理装置として使用し、通信を行う際に、前記複数の通信手段の中から所望の通信手段を適宜選択して、更に前記ＩＣカード内の認証用情報に基づき選択された通信手段との間で認証を行う、ＩＣカードによる通信手段選択方法であって、前記ＩＣカード内に、前記所定の複数の通信手段の、各々に対応した認証情報を全て含むユーザ情報を保管し、場所、時間、通信速度等の、前記各通信手段への接続制限条件を設定しておき、更に、複数の通信手段の利用が可能な接続制限条件の下において、所望の通信手段を優先的に選択するための優先順位をつける通信手段選択条件を設定しておき、前記端末機器が通信を行う際には、ＩＣカードにより、前記ＩＣカード内に設定された条件にしたがい、前記所定の複数の通信手段のうちの１つが選択され、前記端末機器は、選択された通信手段へ接続のためのアクセスを行い、前記ＩＣカードの認証情報により該通信手段におけるユーザ認証の手続きを行うことを特徴とするＩＣカードによる通信手段選択方法。
【請求項２】
請求項１に記載のＩＣカードによる通信手段選択方法であって、移動などで通信条件の変化が起き、前記端末機器による通信ができなくなった場合には、自動的に、前記ＩＣカードに設定されている条件を使って、あるいは、前記ＩＣカードに設定されている条件を変更して、通信手段を選択し、更に、前記ＩＣカードの認証情報により、前記選択された通信手段におけるユーザ認証を行い、認証結果が正当であると判断された場合のみ、前記選択された通信手段と、再度、接続を行うことを特徴とするＩＣカードによる通信手段選択方法。
【請求項３】
所定の複数の通信手段を接続利用できるユーザの端末機器が、通信を行う際に、
それに内蔵もしくは外付けにより接続した１枚のＩＣカードを記録媒体かつ処理装置として使用して、前記複数の通信手段の中から所望の通信手段を選択し、通信手段との間で認証を行う、ＩＣカードによる通信手段選択システムであって、前記所定の複数の通信手段と、該所定の複数の通信手段に少なくとも所定の条件下で接続利用できるユーザ毎の通信端末機器と、各ユーザの端末機器毎に、内蔵もしくは外付けにより接続した１枚のＩＣカードとを備え、各ユーザの端末機器において、ＩＣカードを記録媒体かつ処理装置として使用し、ＩＣカード内に、前記所定の複数の通信手段の、各々に対応した認証情報を全て含むユーザ情報を内蔵し、場所、時間、通信速度等の、前記通信手段への接続制限条件を設定しておき、更に、複数の通信手段の利用が可能な接続制限条件の下において、所望の通信手段を優先的に選択するための優先順位をつける通信手段選択条件を設定しておき、前記端末機器が通信を行う際には、ＩＣカードにより、前記ＩＣカード内に設定された条件にしたがい、前記所定の複数の通信手段のうちの１つが選択され、前記端末機器は、選択された通信手段へ接続のためのアクセスを行い、前記ＩＣカードの認証情報により該通信手段におけるユーザ認証の手続きを行うものであることを特徴とするＩＣカードによる通信手段選択システム。
【請求項４】
請求項３に記載のＩＣカードによる通信手段選択システムであって、移動などで通信条件の変化が起き、前記端末機器による通信ができなくなった場合には、自動的に、前記ＩＣカードに設定されている条件を使って、あるいは、前記ＩＣカードに設定されている条件を変更して、通信手段を選択し、更に、前記ＩＣカードの認証情報により、前記選択された通信手段におけるユーザ認証を行い、認証結果が正当であると判断された場合のみ、前記選択された通信手段と、再度、接続を行うものであることを特徴とするＩＣカードによる通信手段選択システム。
【発明の詳細な説明】
【技術分野】
【０００１】
本発明は、複数の通信手段における、それぞれのユーザ認証を１枚のＩＣカードで行う、ＩＣカードによる通信手段選択方法とシステムに関し、特に、所定の複数の通信手段を接続利用できる端末機器が、それに内蔵もしくは外付けにより接続した１枚のＩＣカードを記録媒体かつ処理装置として使用し、通信を行う際に、前記複数の通信手段の中から所望の通信手段を適宜選択して、更に前記ＩＣカード内の認証用情報に基づき選択された通信手段との間で認証を行う、ＩＣカードによる通信手段選択方法とシステムに関する。
【背景技術】
【０００２】
近年、通信手段の進歩はめざましく、各用途に対応して種々開発されているが、特に、携帯電話等の携帯端末機器を用いた通信手段においては、更に、高機能、多機能でより利便性の良いものが求められている。
このような通信手段においては、通信手段の使用の許可と使用に対応した課金を行うため等により、ユーザ認証を種々の方法により行っている。
この場合、一般には、特許３１３０９２１号公報（特許文献１）にも記載されるように、ユーザの認証管理を所定のサーバーにて行っている。
指紋等の生体を認証に利用したものや、ＩＣカード等によりＩＤやパスワードを認証に利用したものがある。
【特許文献１】特許３１３０９２１号公報  そして、１人のユーザが複数の通信手段を利用することもあるが、この場合、各通信手段に対応して、通信手段毎、ユーザ認証を行うため、通信手段との接続操作が煩雑になるという問題があった。  ＩＣカードを認証手段の媒体として用いた場合においても、利用する通信手段の数に相当する数のＩＣカードが必要で、通信手段との接続操作が煩雑になる。  また、各通信手段には、それぞれ、場所、時間等の種々の制限があり、これらは、それぞれのデータベースサーバーで管理されるため、各通信手段の制限の有無を確認するのに、それぞれサーバーに問い合わせる必要がある。
【発明の開示】
【発明が解決しようとする課題】
【０００３】
上記のように、携帯電話等の携帯端末機器を用いた通信手段を、複数、利用する場合、利用する通信手段の数に相当する数のＩＣカード等の認証手段が必要で、通信手段との接続操作が煩雑になっており、また、各通信手段における、場所、時間等の種々の制限を把握するこには煩わしさがあり、この対応が求められていた。
本発明はこれに対応するもので、具体的には、ＩＣカードをユーザ認証するための認証手段として用い、通信手段を複数利用する場合においても、１つのＩＣカードで、各通信手段に対するユーザ認証が行え、更には、各通信手段における、場所、時間等の種々の制限内容を内蔵しこれに基づいて、通信手段の選択の優先順位をつけた、ＩＣカードによる通信手段選択方法およびＩＣカードによる通信手段選択システムを提供しようとするものである。
【課題を解決するための手段】
【０００４】
本発明のＩＣカードによる通信手段選択方法は、所定の複数の通信手段を接続利用できる端末機器が、それに内蔵もしくは外付けにより接続した１枚のＩＣカードを記録媒体かつ処理装置として使用し、通信を行う際に、前記複数の通信手段の中から所望の通信手段を適宜選択して、更に前記ＩＣカード内の認証用情報に基づき選択された通信手段との間で認証を行う、ＩＣカードによる通信手段選択方法であって、前記ＩＣカード内に、前記所定の複数の通信手段の、各々に対応した認証情報を全て含むユーザ情報を保管し、場所、時間、通信速度等の、前記各通信手段への接続制限条件を設定しておき、更に、複数の通信手段の利用が可能な接続制限条件の下において、所望の通信手段を優先的に選択するための優先順位をつける通信手段選択条件を設定しておき、前記端末機器が通信を行う際には、ＩＣカードにより、前記ＩＣカード内に設定された条件にしたがい、前記所定の複数の通信手段のうちの１つが選択され、前記端末機器は、選択された通信手段へ接続のためのアクセスを行い、前記ＩＣカードの認証情報により該通信手段におけるユーザ認証の手続きを行うことを特徴とするものである。
そして、上記のＩＣカードによる通信手段選択方法であって、移動などで通信条件の変化が起き、前記端末機器による通信ができなくなった場合には、自動的に、前記ＩＣカードに設定されている条件を使って、あるいは、前記ＩＣカードに設定されている条件を変更して、通信手段を選択し、更に、前記ＩＣカードの認証情報により、前記選択された通信手段におけるユーザ認証を行い、認証結果が正当であると判断された場合のみ、前記選択された通信手段と、再度、接続を行うことを特徴とするものである。
【０００５】
本発明のＩＣカードによる通信手段選択システムは、所定の複数の通信手段を接続利用できるユーザの端末機器が、通信を行う際に、それに内蔵もしくは外付けにより接続した１枚のＩＣカードを記録媒体かつ処理装置として使用して、前記複数の通信手段の中から所望の通信手段を選択し、通信手段との間で認証を行う、ＩＣカードによる通信手段選択システムであって、前記所定の複数の通信手段と、該所定の複数の通信手段に少なくとも所定の条件下で接続利用できるユーザ毎の通信端末機器と、各ユーザの端末機器毎に、内蔵もしくは外付けにより接続した１枚のＩＣカードとを備え、各ユーザの端末機器において、ＩＣカードを記録媒体かつ処理装置として使用し、ＩＣカード内に、前記所定の複数の通信手段の、各々に対応した認証情報を全て含むユーザ情報を内蔵し、場所、時間、通信速度等の、前記通信手段への接続制限条件を設定しておき、更に、複数の通信手段の利用が可能な接続制限条件の下において、所望の通信手段を優先的に選択するための優先順位をつける通信手段選択条件を設定しておき、前記端末機器が通信を行う際には、ＩＣカードにより、前記ＩＣカード内に設定された条件にしたがい、前記所定の複数の通信手段のうちの１つが選択され、前記端末機器は、選択された通信手段へ接続のためのアクセスを行い、前記ＩＣカードの認証情報により該通信手段におけるユーザ認証の手続きを行うものであることを特徴とするものである。
そして、上記のＩＣカードによる通信手段選択システムであって、移動などで通信条件の変化が起き、前記端末機器による通信ができなくなった場合には、自動的に、前記ＩＣカードに設定されている条件を使って、あるいは、前記ＩＣカードに設定されている条件を変更して、通信手段を選択し、更に、前記ＩＣカードの認証情報により、前記選択された通信手段におけるユーザ認証を行い、認証結果が正当であると判断された場合のみ、前記選択された通信手段と、再度、接続を行うものであることを特徴とするものである。
【０００６】
（作用）
本発明のＩＣカードによる通信手段選択方法は、このような構成にすることにより、ＩＣカードをユーザ認証するための認証手段として用い、通信手段を複数利用する場合においても、１つのＩＣカードで、各通信手段に対するユーザ認証が行え、更には、各通信手段における、場所、時間等の種々の制限内容を内蔵しこれに基づいて、通信手段の選択の優先順位をつけた、ＩＣカードによる通信手段選択方法の提供を可能としている。
これにより、携帯電話等の携帯端末機器を用いた通信手段を、複数、利用する場合における、認証等の接続操作の煩らわしさ、また、各通信手段における、場所、時間等の種々の制限を把握する煩わしさを無くすことができるものとしている。
具体的には、前記ＩＣカード内に、サービス提供者あるいは各ユーザにより、前記所定の複数の通信手段の、各々に対応した認証情報を全て含むユーザ情報を保管し、場所、時間、通信速度等の、前記各通信手段への接続制限条件を設定しておき、更に、各ユーザにより、複数の通信手段の利用が可能な接続制限条件の下において、所望の通信手段を優先的に選択するための優先順位をつける通信手段選択条件を設定しておき、前記端末機器が通信を行う際には、ＩＣカードにより、前記ＩＣカード内に設定された条件にしたがい、前記所定の複数の通信手段のうちの１つが選択され、前記端末機器は、選択された通信手段へ接続のためのアクセスを行い、前記ＩＣカードの認証情報により該通信手段におけるユーザ認証の手続きを行うことにより、これを達成している。
そして、移動などで通信条件の変化が起き、前記端末機器による通信ができなくなった場合には、自動的に、前記ＩＣカードに設定されている条件を使って、あるいは、前記ＩＣカードに設定されている条件を変更して、通信手段を選択し、更に、前記ＩＣカードの認証情報により、前記選択された通信手段におけるユーザ認証を行い、認証結果が正当であると判断された場合のみ、前記選択された通信手段と、再度、接続を行うことにより、より利便性の良く、コスト面でも有利なものとしている。
【０００７】
また、本発明のＩＣカードによる通信手段選択システムは、このような構成にすることにより、ＩＣカードをユーザ認証するための認証手段として用い、通信手段を複数利用する場合においても、１つのＩＣカードで、各通信手段に対するユーザ認証が行え、更には、各通信手段における、場所、時間等の種々の制限内容を内蔵しこれに基づいて、通信手段の選択の優先順位をつけた、ＩＣカードによる通信手段選択システムの提供を可能としている。
【発明の効果】
【０００８】
本発明は、上記のように、ＩＣカードをユーザ認証するための認証手段として用い、通信手段を複数利用する場合においても、１つのＩＣカードで、各通信手段に対するユーザ認証が行え、更には、各通信手段における、場所、時間等の種々の制限内容を内蔵しこれに基づいて、通信手段の選択の優先順位をつけた、ＩＣカードによる通信手段選択方法と、ＩＣカードによる通信手段選択システムの提供を可能とした。
即ち、複数の通信手段を利用する場合においても、１枚のＩＣカードで、各通信手段に対するユーザの認証が可能で、また、複数の通信手段の利用が可能な場合において、自分の決めた優先順で、接続、利用することが可能となった。
結果、携帯電話等の携帯端末機器を用いた通信手段を、複数、利用する場合における、認証等の接続操作の煩らわしさ、また、各通信手段における、場所、時間等の種々の制限を把握する煩わしさを無くすことができるものとした。
【発明を実施するための最良の形態】
【０００９】
本発明の実施の形態を図に基づいて説明する。
図１は、本発明のＩＣカードによる通信手段選択システムの実施の形態の１例を示した概略構成図で、図２は本発明のＩＣカードによる通信手段選択方法の実施の形態の１例の処理フローを示したフロー図である。
尚、図２中、Ｓ１〜Ｓ９は処理ステップを示す。
図１中、１１１、１１２、１１３は通信手段、１１１Ａ、１１２Ａ、１１３Ａは認証手段、１２０は（ユーザの）携帯端末機器、１２５はＩＣカード、１３０は通信相手の機器である。
先ず、本発明のＩＣカードによる通信手段選択システムの実施の形態の１例を図１に基づいて説明する。
本例のＩＣカードによる通信手段選択システムは、所定の複数の通信手段１１１、１１２、１１３を接続利用できるユーザの携帯端末機器１２０が、通信を行う際に、携帯端末機器１２０に外付けにより接続した１枚のＩＣカード１２５を記録媒体かつ処理装置として使用して、複数の通信手段１１１、１１２、１１３の中から、通信する時間、場所、通信速度から適宜所望の通信手段を選択し、選択された通信手段との間で認証を行う、ＩＣカードによる通信手段選択システムで、複数の通信手段１１１、１１２、１１３と、該所定の複数の通信手段に少なくとも所定の条件下で接続利用できるユーザ毎の通信端末機器と、各ユーザの端末機器毎に、内蔵もしくは外付けにより接続した１枚のＩＣカードとを備えている。
本例のＩＣカードによる通信手段選択システムにおいては、ユーザの端末機器１２０において、ＩＣカード１２５を記録媒体かつ処理装置として使用し、ＩＣカード１２５内に、前記所定の複数の通信手段の、各々に対応した認証情報を全て含むユーザ情報を内蔵し、場所、時間、通信速度等の、前記通信手段への接続制限条件を設定しておき、更に、複数の通信手段の利用が可能な接続制限条件の下において、所望の通信手段を優先的に選択するための優先順位をつける通信手段選択条件を設定しておく。
そして、本例のＩＣカードによる通信手段選択システムは、前記端末機器が通信を行う際には、ＩＣカード１２５により、ＩＣカード内に設定された条件にしたがい、前記所定の複数の通信手段のうちの１つが選択され、携帯端末機器１２０は、選択された通信手段へ接続のためのアクセスを行い、ＩＣカード１２５の認証情報により該選択された通信手段におけるユーザ認証の手続きを行うものである。
ＩＣカード１２５は、処理装置として機能するもので、接続制限条件での通信手段の抽出や、優先順位をつける通信手段選択条件に基づく１つの通信手段の選択や、選択された通信手段における認証情報の抽出等の処理を行う機能が組み込まれている。
本例では、認証手段１１１Ａ、１１２Ａ、１１３Ａは、それぞれ、通信手段１１１、１１２、１１３における、接続あるいは課金のための認証を行うためのもので、通信手段として選択された際、ＩＣカード１２５のメモリ内に保管されている認証のためのＩＤやパスワード等の認証情報を、通信手段１１１、１１２、１１３側で、それぞれのものと照合し、照合がＯＫの場合に、携帯端末機器１２０と通信相手の機器１３０とを接続するものである。
【００１０】
携帯端末機器１２０としては、携帯電話やＰＤＡ等が挙げられるがこれらに限定はされない。
ＩＣカード１２５としては、接触型や近傍型のものが、それぞれ、内蔵あるいは外付けで接続されて、そのメモリが記録媒体、ＣＰＵ等のプロセッサーやメモリが処理装置として使用される。
通信手段１１１、１１２、１１３としては、インターネットやＬＡＮ（Ｌｏｃａｌ  Ａｒｅａ  Ｎｅｔｗｏｒｋ）等のネットワーク、衛星通信等が挙げられる。
認証手段１１１Ａ、１１２Ａ、１１３Ａとしては、ＩＤやパスワードの他に、指紋等の生態情報を用いても良いし、これらを併用して認証を行っても良い。
通信相手の機器１３０としては、特に限定されないが、例えば、携帯電話等の携帯端末機器や特定の処理装置や特定のサービスを行うためのサーバー等がある。
【００１１】
次いで、本例のＩＣカードによる通信手段選択システムの処理動作の１例を、図２に基づいて簡単に説明する。
また、これを以って、本発明のＩＣカードによる通信手段選択方法の実施の形態の１例の説明とする。
図１に示すＩＣカードによる通信手段選択システムにおいて、ＩＣカードを携帯端末機器１２０に外付けで接続したセットした状態で、通信の開始を携帯端末機器１２０に指示するとと（Ｓ１）、
携帯端末機器１２０は、ＩＣカード１２５に、そこに設定されている接続制限条件での通信手段の抽出を指示する。（Ｓ２）
ＩＣカード１２５は、抽出された通信手段が１つの場合は、これを選択された通信手段とし、また、抽出された通信手段が２つ以上の場合は、更に、優先順位が設定されている内蔵された通信手段選択条件に基づき、優先順位を確認し、抽出された通信手段の中で優先順位が最上位のものを、選択された通信手段とし（Ｓ３〜Ｓ４）、選択された通信手段との接続を行うための認証用の認証情報を抽出し、携帯端末機器１２０は、これを選択された通信手段側に送信し、該通信手段と接続し、該通信手段を介して通信相手の機器１３０に通信する。（Ｓ５〜Ｓ６）
そして、通信不能が生じない場合（Ｓ７）には、所定の目的が達するまで通信して、通信を終了する（Ｓ８）が、通信途中で、何らかの理由で通信不能が生じた場合（Ｓ７）には、ＩＣカード１２５は、自動的に、携帯端末機器１２０の通信途中における通信不能状態を感知し、接続制限条件を変更し（Ｓ９）、再度、Ｓ２〜Ｓ６迄の処理を行い、再度、通信手段との接続を行う。
【００１２】
上記の例は１例でこれに限定されない。
例えば、上記の例において、通信途中で、何らかの理由で通信不能が生じた場合、
先ず、同じ接続制限条件にて、再度、Ｓ２〜Ｓ６迄の処理を行い、
接続ができない場合に、接続制限条件を変更し（Ｓ９）、再度、Ｓ２〜Ｓ６迄の処理を行い、再度、通信手段との接続を行っても良い。
【図面の簡単な説明】
【００１３】
【図１】本発明のＩＣカードによる通信手段選択システムの実施の形態の１例を示した概略構成図である。
【図２】本発明のＩＣカードによる通信手段選択方法の実施の形態の１例の処理フローを示したフロー図である。
【符号の説明】
【００１４】
１１１、１１２、１１３        通信手段
１１１Ａ、１１２Ａ、１１３Ａ  認証手段
１２０                      （ユーザの）携帯端末機器
１２５                        ＩＣカード
１３０                        通信相手の機器
【図１】
2005258961.tif 000003
【図２】
2005258961.tif 000004